【手続補正書】
【提出日】平成26年7月25日(2014.7.25)
【手続補正１】
【補正対象書類名】特許請求の範囲
【補正対象項目名】全文
【補正方法】変更
【補正の内容】
【特許請求の範囲】
【請求項１】
端末と通信する基地局であって、
拡張物理下りリンク制御チャネルをモニタリングするためのリソースブロックセットを前記端末に設定し、
前記リソースブロックセットに含まれる複数のリソースのうちの１つ以上のリソースを用いて前記拡張物理下りリンク制御チャネルを送信する送信部を含み、
前記リソースブロックセットは複数のリソースブロックペアを含み、
前記複数のリソースブロックペアの各々は、所定数のリソースエレメントグループを含み、
前記拡張物理下りリンク制御チャネルは、上位レイヤーによって設定される情報に基づいて、１つの前記リソースブロックペアにおける複数の前記リソースエレメントグループから構成される前記リソースを用いる第１の送信、または複数の前記リソースブロックペアにおける複数の前記リソースエレメントグループから構成される前記リソースを用いる第２の送信のいずれかを用いて送信されることを特徴とする基地局。
【請求項２】
前記リソースエレメントグループに対応するリソースエレメントの各々に、リソースエレメントグループ番号が付され、
前記第１の送信において、前記リソースは、当該リソースエレメントグループ番号を所定の数で除した余りに基づいて構成されることを特徴とする請求項１に記載の基地局。
【請求項３】
前記拡張物理下りリンク制御チャネルは、少なくともセル固有参照信号または伝送路状況測定用参照信号がマッピングされないリソースエレメントを用いて送信されることを特徴とする請求項１に記載の基地局。
【請求項４】
前記拡張物理下りリンク制御チャネルは、物理下りリンク制御チャネルの送信に用いられるＯＦＤＭシンボルとは異なるＯＦＤＭシンボルで送信されることを特徴とする請求項１に記載の基地局。
【請求項５】
前記拡張物理下りリンク制御チャネルは、物理下りリンク制御チャネルの送信に用いられる第１の送信ポートとは異なる第２の送信ポートを用いて送信し、
前記第１の送信ポートは、セル固有参照信号の送信に用いられる送信ポートであり、前記第２の送信ポートは、復調参照信号の送信に用いられる送信ポートであることを特徴とする請求項１に記載の基地局。
【請求項６】
基地局と通信する端末であって、
拡張物理下りリンク制御チャネルをモニタリングするためのリソースブロックセットが前記基地局により設定され、
前記リソースブロックセットに含まれる複数のリソースのうちの１つ以上のリソースに対して前記拡張物理下りリンク制御チャネルの候補をモニタリングする制御チャネル処理部を含み、
前記リソースブロックセットは複数のリソースブロックペアを含み、
前記複数のリソースブロックペアの各々は、所定数のリソースエレメントグループを含み、
前記拡張物理下りリンク制御チャネルは、上位レイヤーによって設定される情報に基づいて、１つの前記リソースブロックペアにおける複数の前記リソースエレメントグループから構成される前記リソースを用いる第１の送信、または複数の前記リソースブロックペアにおける複数の前記リソースエレメントグループから構成される前記リソースを用いる第２の送信のいずれかを用いて送信されることを特徴とする端末。
【請求項７】
前記リソースエレメントグループに対応するリソースエレメントの各々に、リソースエレメントグループ番号が付され、
前記第１の送信において、前記リソースは、当該リソースエレメントグループ番号を所定の数で除した余りに基づいて構成されることを特徴とする請求項６に記載の端末。
【請求項８】
前記拡張物理下りリンク制御チャネルは、少なくともセル固有参照信号または伝送路状況測定用参照信号がマッピングされないリソースエレメントを用いて送信されることを特徴とする請求項６に記載の端末。
【請求項９】
前記拡張物理下りリンク制御チャネルは、物理下りリンク制御チャネルの送信に用いられるＯＦＤＭシンボルとは異なるＯＦＤＭシンボルで送信されることを特徴とする請求項６に記載の端末。
【請求項１０】
前記拡張物理下りリンク制御チャネルは、物理下りリンク制御チャネルの送信に用いられる第１の送信ポートとは異なる第２の送信ポートが用いられて送信され、
前記第１の送信ポートは、セル固有参照信号の送信に用いられる送信ポートであり、前記第２の送信ポートは、復調参照信号の送信に用いられる送信ポートであることを特徴とする請求項６に記載の端末。
【請求項１１】
端末と通信する基地局の通信方法であって、
拡張物理下りリンク制御チャネルをモニタリングするためのリソースブロックセットを前記端末に設定するステップと、
前記リソースブロックセットに含まれる複数のリソースのうちの１つ以上のリソースを用いて前記拡張物理下りリンク制御チャネルを送信するステップとを有し、
前記リソースブロックセットは複数のリソースブロックペアを含み、
前記複数のリソースブロックペアの各々は、所定数のリソースエレメントグループを含み、
前記拡張物理下りリンク制御チャネルは、上位レイヤーによって設定される情報に基づいて、１つの前記リソースブロックペアにおける複数の前記リソースエレメントグループから構成される前記リソースを用いる第１の送信、または複数の前記リソースブロックペアにおける複数の前記リソースエレメントグループから構成される前記リソースを用いる第２の送信のいずれかを用いて送信されることを特徴とする通信方法。
【請求項１２】
基地局と通信する端末の通信方法であって、
拡張物理下りリンク制御チャネルをモニタリングするためのリソースブロックセットが前記基地局により設定されるステップと、
前記リソースブロックセットに含まれる複数のリソースのうちの１つ以上のリソースに対して前記拡張物理下りリンク制御チャネルの候補をモニタリングするステップとを有し、
前記リソースブロックセットは複数のリソースブロックペアを含み、
前記複数のリソースブロックペアの各々は、所定数のリソースエレメントグループを含み、
前記拡張物理下りリンク制御チャネルは、上位レイヤーによって設定される情報に基づいて、１つの前記リソースブロックペアにおける複数の前記リソースエレメントグループから構成される前記リソースを用いる第１の送信、または複数の前記リソースブロックペアにおける複数の前記リソースエレメントグループから構成される前記リソースを用いる第２の送信のいずれかを用いて送信されることを特徴とする通信方法。
【請求項１３】
端末と通信する基地局に実装される集積回路であって、
拡張物理下りリンク制御チャネルをモニタリングするためのリソースブロックセットを前記端末に設定する機能と、
前記リソースブロックセットに含まれる複数のリソースのうちの１つ以上のリソースを用いて前記拡張物理下りリンク制御チャネルを送信する機能とを含む一連の機能を前記基地局に発揮させ、
前記リソースブロックセットは複数のリソースブロックペアを含み、
前記複数のリソースブロックペアの各々は、所定数のリソースエレメントグループを含み、
前記拡張物理下りリンク制御チャネルは、上位レイヤーによって設定される情報に基づいて、１つの前記リソースブロックペアにおける複数の前記リソースエレメントグループから構成される前記リソースを用いる第１の送信、または複数の前記リソースブロックペアにおける複数の前記リソースエレメントグループから構成される前記リソースを用いる第２の送信のいずれかを用いて送信されることを特徴とする集積回路。
【請求項１４】
基地局と通信する端末に実装される集積回路であって、
拡張物理下りリンク制御チャネルをモニタリングするためのリソースブロックセットが前記基地局により設定される機能と、
前記リソースブロックセットに含まれる複数のリソースのうちの１つ以上のリソースに対して前記拡張物理下りリンク制御チャネルの候補をモニタリングする機能とを含む一連の機能を前記端末に発揮させ、
前記リソースブロックセットは複数のリソースブロックペアを含み、
前記複数のリソースブロックペアの各々は、所定数のリソースエレメントグループを含み、
前記拡張物理下りリンク制御チャネルは、上位レイヤーによって設定される情報に基づいて、１つの前記リソースブロックペアにおける複数の前記リソースエレメントグループから構成される前記リソースを用いる第１の送信、または複数の前記リソースブロックペアにおける複数の前記リソースエレメントグループから構成される前記リソースを用いる第２の送信のいずれかを用いて送信されることを特徴とする集積回路。